(57)【要約】  【課題】本発明においては、脱水工程において、被処理物の水分率を均一にする様に脱水し、全体としての水分率を低下させること  【解決手段】外胴内に水平軸を中心に回転可能に設けた内胴としてのドラム１に、被染物などの被処理物を装填して回転駆動することにより脱水処理をするドラム回転式染色機における脱水方法において、ドラム１の回転方向を正転し、停止させ、再回転（逆転を含む。）し、停止させ、被処理物の内周、外周又は折れ位置に変動をきたす工程を繰り返し、被処理物の平均水分率を低下させるドラム回転式染色機における被処理物の脱水方法とした。【選択図】図１
2008220663.tif 000002
【特許請求の範囲】
【請求項１】
外胴内に水平軸を中心に回転可能に設けた内胴としてのドラムに、被染物などの被処理物を装填して回転駆動することにより脱水処理をするドラム回転式染色機における脱水方法において、ドラムの回転方向を正転し、停止させ、再回転（逆転を含む。）し、停止させ、被処理物の内周、外周又は折れ位置に変動をきたす工程を繰り返し、被処理物の平均水分率を低下させることを特徴とするドラム回転式染色機における被処理物の脱水方法。
【請求項２】
ドラム内の被処理物の脱水方法として、脱水工程の全体を約１８分とし３分間隔毎に停止を６回程度組み入れて、順次、被処理物の内周、外周又は折れ位置に変動をきたすような工程を設け、被処理物の平均水分率を低下させることを特徴とする請求項１記載のドラム回転式染色機における被処理物の脱水方法。
【請求項３】
外胴内に水平軸を中心に回転可能に設けた内胴としてのドラムに、被染物などの被処理物を装填して回転駆動することにより脱水処理をするドラム回転式染色機において、被処理物をドラム内に設けた突起部に引っ掛かるようにしてドラムの回転に連動させ、ドラムを正転、停止、再回転（逆転を含む。）、停止するように駆動モータを制御し、被処理物の平均水分率を低下させることを特徴とするドラム回転式染色機における被処理物の脱水装置。
【発明の詳細な説明】
【技術分野】
【０００１】
本発明は、被処理物のドラム回転式染色機の脱水方法及び脱水装置に関するものである。
【０００２】
ここで、被処理物とは、ポリエステル、ポリエステルの混紡及び交織品等の合成繊維や、合成皮革、綿、レーヨン及び麻等のセルローズ系繊維、及びこれらセルローズ系繊維を含む混紡品等を含める。
【背景技術】
【０００３】
従来のドラム回転式染色機の脱水方法及び脱水装置にあっては、被処理物を脱水する時、ドラムの回転を一方向とされていた。このため、被処理物がドラムの外周方向に移動し、遠心力で押さえつけられ位置が変わりにくく、ドラムの内周部に位置する被処理物と外周部に位置する被処理物との水分率に差が生じていた。
【０００４】
また、ドラムが回転している間、ドラムの外周に押さえつけられた被処理物は、ほぼ同じ形状のままで脱水されるため、被処理物が折れて密度の高い部分と低い部分とができ、水分率に差が生じていた。
【特許文献１】特開２００３−４２６５８  パレット等の遠心脱水方法及び装置
【発明の開示】
【発明が解決しようとする課題】
【０００５】
従来のドラム回転式染色機では、被処理物の水分率に差が生じて、水分率の高い被染物に合わせて乾燥時間を設定しなければならないことから、脱水工程後の乾燥時間が長くなってしまう問題点があった。本発明において、これらの問題点を解決することを目的とする。
【０００６】
そこで、本発明においては、脱水工程において、被処理物の水分率を均一にする様に脱水し、全体としての水分率を低下させることができるものである。
【課題を解決するための手段】
【０００７】
上記目的を達成するため、本発明の第１発明として、外胴内に水平軸を中心に回転可能に設けた内胴としてのドラムに、被染物などの被処理物を装填して回転駆動することにより脱水処理をするドラム回転式染色機における脱水方法において、ドラムの回転方向を正転し、停止させ、再回転（逆転を含む。）し、停止させ、被処理物の内周、外周又は折れ位置に変動をきたす工程を繰り返し、被処理物の平均水分率を低下させるドラム回転式染色機における被処理物の脱水方法とした。
【０００８】
また、第２発明として、ドラム内の被処理物の脱水方法として、脱水工程の全体を約１８分（２０分程度）として、正転又は逆転の回転時間を３分間隔毎に停止を６回程度組み入れて、順次、被処理物の内周、外周又は折れ位置に変動をきたすような工程を設け、被処理物の平均水分率を低下させるドラム回転式染色機における被処理物の脱水方法とした。
【０００９】
更に、第３発明として、外胴内に水平軸を中心に回転可能に設けた内胴としてのドラムに、被染物などの被処理物を装填して回転駆動することにより脱水処理をするドラム回転式染色機において、被処理物をドラム内に設けた突起部に引っ掛かるようにしてドラムの回転に連動させ、ドラムを正転、停止、再回転（逆転を含む。）、停止するように駆動モータを制御し、被処理物の平均水分率を低下させるドラム回転式染色機における被処理物の脱水装置とした。
【発明の効果】
【００１０】
本発明の脱水方法及び脱水装置を用いることで、被染物の脱水率が向上し、被処理物の全体の水分率を低下させ、その後の乾燥工程の時間短縮を図れるようになった。
【発明を実施するための最良の形態】
【００１１】
本発明の脱水方法及び脱水装置に用いられる被処理物の形状としては、人工皮革等の不織布関係、布帛、ニット、製品（ガーメント）等の全ての形状、形態に対応できる。
【００１２】
また、脱水処理時の形態としては、ドラム回転式のもの特に、丸タンク式のドラム染色機で、ドラムが回転し、布帛、製品を処理する形態をしているものが含まれる。
さらに、脱水処理の目的の範囲としては、ドラムを回転させる機械を使用して、前処理、染色、脱水を目的とする処理全般を含むものとする。
【実施例１】
【００１３】
本発明のドラム回転式染色機の構造を図１及び図２に示す。
【００１４】
図１及び図２において、１は染色槽、２はドラムで、染色槽１の外胴内に設けられ、水平軸を中心に回転可能に設けられている。３は軸受けで、軸４を支える。５は駆動モータで、ドラム２を正転、停止、再回転（逆転を含む。）、また、間欠運転することができるよう制御される。ドラムの回転速度は、駆動モータにより調整でき、回転方向も任意に変えることができる。ドラムを再回転させる場合、正転、逆転のいずれも可能である。
【００１５】
６は突起部で、ドラム２内に設けられ、被処理物がドラムの回転に沿うようになっている。
【００１６】
図３は脱水回転中における被処理物７の状態を示している。被処理物７は、ドラム回転による遠心力を受けて、ドラムの外周に押し付けられ、突起部６に引っ掛かる状態にある。ドラムの回転によって、被処理物７中の水分が脱水されることとなる。
【００１７】
図４は、ドラムを一旦停止した時における被処理物８の状態を示す図である。被処理物８は、重力の影響を受けて下方に崩れ、再回転させた時には被処理物の位置関係が変わることとなる。
【００１８】
停止時間は、３秒であり、５回停止した場合であっても、５Ｘ３秒＝１５秒で全行程の１８分に比べて短時間となる。したがって、停止時間が全行程の時間に与える影響はほとんどない。
【００１９】
ここで、本発明の脱水処理方法及び脱水装置の実施例を示す。まず、比較対象例として、ドラムの回転状態を連続して１８分間正転した場合の脱水後の平均水分率、最大水分率、最小水分率の結果を下記に示す。
【００２０】
ここで、被処理物として、肌着６３ｇ／枚を２３枚、及び、ストッキング６３ｇ／枚を２６枚投入した。ドラムの全容量は、３．１ｋｇであり、脱水ドラムの大きさは、φ６００ｍｍＸ４００リットル、脱水回転数は２５０ｒｐｍとした。
【表１】
2008220663.tif 000003
【００２１】
次に、本発明の実施例１として、「正転を３分間した後に停止する」工程を６回繰り返した場合の脱水後の平均水分率、最大水分率、最小水分率の結果を下記に示す。
【表２】
2008220663.tif 000004
【００２２】
この実施例１の脱水時間と比較対象例の連続脱水する時間とは共に１８分間であり同一時間である。
【００２３】
しかし、実施例１では「停止」工程を入れたことにより、その都度、ドラムの内周の被処理物がその位置を変えることになる。このため、被処理物が重力の影響で下方に移動し、よりよく脱水されることがわかる。したがって、脱水後最小水分率は変わりがないが、最大水分率が下がり、全体としての水分率が低下する効果を得ることができた。
【実施例２】
【００２４】
次に、実施例２として、「正転３分後停止する」「その後逆回転３分後、停止する」工程を繰り返した場合の脱水後の平均水分率、最大水分率、最小水分率の結果を下記に示す。
【表３】
2008220663.tif 000005
【００２５】
この実施例２では、脱水工程での回転方向を正転を停止した後、逆回転としていることにより、ドラムの内周の被処理物が逆回転のし始めにその位置を変えることにより、よりよく脱水されることがわかる。
脱水時間を実施例１の場合に比べて短縮したにもかかわらず、ほぼ同様の効果が得られた。
【産業上の利用可能性】
【００２６】
ドラム回転式染色機の脱水を一旦止め、内部の被染物の内周、外周位置、及び折れ位置を変え、再度脱水することで、被処理物の脱水状態を均一にすることができる。脱水後、乾燥工程に移る場合にあっても時間の短縮が図れるようになった。
【図面の簡単な説明】
【００２７】
【図１】ドラム回転式染色機の全体を示す図
【図２】ドラム内の構造を示す図
【図３】ドラムを脱水回転している時の被処理物の状態を示す図
【図４】ドラムの回転を一旦停止した時の被処理物の状態を示す図
【符号の説明】
【００２８】
１    染色槽
２    ドラム
３    軸受け
４    軸
５    駆動モータ
６    突起部
７    被処理物
８    被処理物
【図１】
2008220663.tif 000006
【図２】
2008220663.tif 000007
【図３】
2008220663.tif 000008
【図４】
2008220663.tif 000009
【手続補正書】
【提出日】平成19年3月16日(2007.3.16)
【手続補正１】
【補正対象書類名】明細書
【補正対象項目名】００２０
【補正方法】変更
【補正の内容】
【００２０】
ここで、被処理物として、肌着６３ｇ／枚を２３枚、及び、ストッキング６３ｇ／枚を２６枚投入した。ドラムの全容量は、３．１ｋｇであり、脱水ドラムの大きさは、内径φ６００ｍｍＸ直胴部４００ｍｍ、脱水回転数は２５０ｒｐｍとした。
【表１】
2008220663.tif 000010
【手続補正２】
【補正対象書類名】明細書
【補正対象項目名】００２１
【補正方法】変更
【補正の内容】
【００２１】
次に、本発明の実施例１として、「正転を３分間した後に停止する」工程を６回繰り返した場合の脱水後の平均水分率、最大水分率、最小水分率の結果を下記に示す。
【表２】
2008220663.tif 000011
【手続補正３】
【補正対象書類名】明細書
【補正対象項目名】００２３
【補正方法】変更
【補正の内容】
【００２３】
しかし、実施例１では「停止」工程を入れたことにより、被処理物が重力の影響で下方に移動し、脱水条件の悪かったドラムの内周の被処理物がその位置を変えることになる。これが繰返されることにより、どの被処理物の脱水条件も均一となり、公平に脱水されることとなる。その結果、脱水後最小水分率は変わりがないが、最大水分率が下がり、全体としての水分率が低下する効果を得ることができた。
【手続補正４】
【補正対象書類名】明細書
【補正対象項目名】００２４
【補正方法】変更
【補正の内容】
【００２４】
次に、実施例２として、「正転３分後停止する」「その後逆回転３分後、停止する」工程を繰り返した場合の脱水後の平均水分率、最大水分率、最小水分率の結果を下記に示す。
【表３】
2008220663.tif 000012
【手続補正５】
【補正対象書類名】明細書
【補正対象項目名】００２５
【補正方法】変更
【補正の内容】
【００２５】
この実施例２では、脱水工程での回転方向を正転を停止した後、逆回転としていることにより、ドラムの内周の被処理物が逆回転のし始めにその位置を変えることにより、よりよく脱水されることがわかる。
実施例１の場合と、ほぼ同様の効果が得られた。